(57)【特許請求の範囲】
【請求項１】
抗凝血物質を添加し均質化した血液から成る試料について実施する血液の沈降速度決定法であって、初不動時間がなく時間の関数として試料の光学濃度または吸光度を監視する工程（１３）を含み、該監視が微小体積の血液を含有する小内径の含有室を画定する読取り容器（２２）の固定点で実施され、前記含有室の内径が光学濃度と含まれる血球の数との直線関係を保証する０．１〜２ｍｍの寸法であることを特徴とする血液の沈降速度決定法。
【請求項２】
試料中の血球の量の値を最初の瞬間に同定できる請求項１記載の方法。
【請求項３】
読取り容器（２２）が、監視工程（１３）中に遠心分離工程（１２）を受ける請求項１〜請求項２記載の方法。
【請求項４】
遠心分離工程（１２）中に、試料が２〜２０ｇの加速度を受ける請求項３記載の方法。
【請求項５】
遠心分離が、読取り容器（２２）の配置面に垂直な軸の回りで生じる請求４記載の方法。
【請求項６】
次の工程から成る請求項１〜請求項５記載の方法：
均質化し、被分析試料を容器（２１）から読取り容器（２２）に吸引によって供給する工程（１１）；
読取り容器（２２）の配置面に垂直な軸の回りに前記試料を遠心分離する工程（１２）；
分析する血液試料の光学濃度を一定の時間に渡って同定するための電磁線の放射／監視工程（１３）；
一定の時間の関数として監視信号を処理する工程（１４）；
得られた結果を表示する工程（１５）；および
分析した試料の放出工程（１８）。
【請求項７】
炎症性病状の区別に有用であって、既知病状の予め記憶した信号との比較工程（１６）から成る請求項１〜請求項６記載の方法。
【請求項８】
分析の自動的遂行のためにプログラミング、プロセス制御アセンブリ（２７）によって制御される請求項１〜請求項７記載の方法。
【請求項９】
定量分析で、血液の血漿部分の沈降を監視する請求項１〜請求項８記載の方法。
【請求項１０】
分析する試料を供給する少なくとも１つの手段（２０）、配置面に垂直な軸の回りに回転するようにセットされる読取り容器（２２）、該読取り容器（２２）の配置面に垂直に配置される電磁線を放射／監視するアセンブリ（２５）、デ−タを捕そくする手段（２６）およびプログラミング、プロセス制御アセンプリ（２７）からなり、読取り容器（２２）が０．１〜２ｍｍの内径を有する含有室を画定し、前記電磁線の監視が該読取り容器の固定点で実施されることを特徴とする血液の沈降速度決定装置。
【請求項１１】
読取り容器（２２）が、分析試料の供給および放出用の入り口と出口から成る請求項１０記載の装置。
【請求項１２】
読取り容器（２２）が、試料の供給から放出まで中断することなく延在する請求項１０又は請求項１１記載の装置。
【請求項１３】
放射／監視アセンブリ（２５）およびデ−タ捕そく手段（２６）が一定の時間に渡って血液試料の光学濃度の発現を監視させ、この光学濃度の発現をＶＥＳと相関させることができる請求項１０〜１２記載の装置。
【請求項１４】
放射／監視アセンブリ（２５）は、必要に応じて読取り容器（２２）の軸に沿って配置できる請求項１０〜１３記載の装置。
【請求項１５】
読取り容器（２２）が反射面を有し、放射／監視アセンブリ（２５）がその放射手段および監視手段を読取り容器（２２）の配置面の同一側に配置させている請求項９〜１２記載の装置。
【請求項１６】
加速度の勾配および加速度の最終値のような遠心分離法が、分析の必要な持続時間の関数として必要に応じて調節できる請求項１０〜１５記載の装置。
【請求項１７】
被分析試料に２〜２０ｇの遠心分離加速度を与える請求項１０〜１６記載の装置。
【請求項１８】
放射／監視手段（２５）およびデ−タ捕そく手段（２６）の即時走査の時間が必要に応じて調節できる請求項１０〜１７記載の装置。
【請求項１９】
プログラミング、プロセス制御アセンブリ（２７）が、基準デ−タ・バンクと共同する請求項１０〜１８記載の装置。
【請求項２０】
他の装置に油圧式および電子式に結合させてヘモクロモ血球数測定検査のような血液の分析をし、その分析時間が本発明の方法の遂行時間と一致する請求項１０〜１９載の装置。
【請求項２１】
１つの分析と次の分析との間に読取り容器（２２）全体の洗浄および殺菌に適当な溶液をフラッシュする手段からなる請求項１０〜２０載の装置。
【発明の詳細な説明】
【０００１】
【発明の属する技術分野】
本発明は、血液の沈降速度を測定する方法およびその装置に関するものである。本発明は医療分析の分野に応用して、血液の沈降速度を迅速かつ自動的に測定することができる。
【０００２】
【従来の技術】
血球、特に赤血球を含む血液の一部分の沈降速度の測定は患者の健康状態に関係することは周知である。この沈降速度は、技術分野において赤血球沈降速度（ＶＥＳ（ｖｅｌｏｃｉｔｙ  ｏｆ  ｅｒｙｔｈｒｏｃｙｔｅ）、またはＥＳＲ（ｅｒｙｔｈｒｏｃｙｔｅ  ｓｅｄｉｍｅｎｔａｔｉｏｎ  ｒａｔｅ）と呼ばれている、以下の記載において簡単のためにこれらの用語を使用する。
【０００３】
血液における赤血球の沈降は、次のように３つのフェーズで生じる：
第１のフェーズは、静電力および血漿おけるあるタンパク質の含量による赤血球の凝集であって、この凝集は引用するパラメータ−に従って種々の寸法の連銭の形成をもたらす、そしてこのフェーズは約１〜１０秒間続く；
第２のフェーズは、連銭の沈降であって、この値は病状に従って種々の特性を示す、このフェーズは、重力のみの作用下で数十分〜数時間続く；
第３のフェーズは、連銭の最終充てんであって、これらの連銭は連銭と血漿間の密度差に基づいて全ての有効体積をとることによって配列する傾向にある、このフェーズは重力のみの作用下で数十分〜数時間続く。
【０００４】
ＶＥＳの測定において一般に考慮されるパラメータ−は、上記の第２フェーズのものである。もちろん第１フェーズのものである。もちろん第１フェーズのものもＶＥＳと直接的に相互に関係する。特に、炎症性として定義される病気の状態の間ＶＥＳは増す、従ってこの分析を用いて、かかる病状の存在を迅速かつ容易に確認することが知られている。
【０００５】
この沈降速度を測定するために、これまでに異なる多くの方法が用いられてきた。古典的な方法において、患者から採取され抗凝血物質を有する適当な容器に入れた血液試料は適当な管、または試験管に分配する（それらの管は一般に適当な支持体に鉛直に配置される。）その分析は、血液の透明な血漿部分と、赤血球、白血球および血漿板から成り赤い血球を含有する部分間の界面又は分離帯の位置を予めセットした一定時間に観察することにある。測定されたデータが血液の沈降速度を与える。
【０００６】
しかしながら、この方法は遅くかつ自動的でなく、界面の高さを与えるデータの読取りおよび／または表記において研究助手によって誤りが容易に生じる恐れがある。
【０００７】
これらの欠点を解消し、該分析を自動的に迅速かつ再現性のある方法でするために、種々の方法が開示されている。
【０００８】
ＣＨ（スイス）特許−Ａ−６５５，８００号は、血漿／血球界面の位置を同定すべく沈降管を透過する光を一定時間監視する方法を開示している。この方法は分析を自動化できるが、逐行時間を短縮できない。
【０００９】
ＧＢ（イギリス）特許−Ａ−２，１５３，０７２号は、測定管を鉛直方向に対して傾斜させ、次に赤血球の沈降を加速させるのに遠心力を利用すべく回転させ、最後に鉛直位置に直立させて血漿と血球の界面の位置を読む方法を開示している。この方法は分析逐行時間を確かに短縮できるが、使用者に十分満足な方法ではない。
【００１０】
ＤＥ（西ドイツ）特許−Ａ−２，８２８，６５９号は、鉛直方向に配列した複数のダイオードを使用して沈降管の測定部分に沿って血液の光学濃度の測定法を開示している。この測定法は、血漿と血球の界面の位置の時間的変動、従ってＶＥＳの変動を与える。
【００１１】
ＵＳ−Ａ−４，８４８，９００号は、可動読取りヘッド部を徐々にかつ自動的に移動させることによって血漿／血球界面における光学濃度を測定する装置を開示している。該装置は被分析血液試料のＶＥＳを得ることができる。
【００１２】
ＵＳ−Ａ−５，００３，４８８号は、望遠カメラを使用して、被測定間隔における界面の高さを同定し、かく測定されたデータをコンピュータで処理してＶＥＳを得る方法を開示している。
【００１３】
ＵＳ−Ａ−５，３１６，７２９号は、光学濃度の分析により血漿と血球の界面の移動を監視し、得られた曲線と基準曲線と比較し、その界面の最終位置を外挿してＶＥＳを決定する装置を開示している。
【００１４】
ＷＯ９１／０５９９６号は、分析される血液試料に当る放射線を試料自身による吸収によって生じる熱を所定の時間間隔で測定する光−熱センサによってＶＥＳを測定する装置を開示している。所定の時間間隔で測定される信号は試料のＶＥＳの関数である。
【００１５】
ＵＳ−Ａ−５，３２８，８２２号は、血漿と血球の界面の位置を分析せんとする管の光の反射性を分析することによって測定する方法および装置を開示している。この場合の特性はセンサに対応して存在する血球数の関数である。この装置は、管に沿って降下する可動読取りヘッドに関連したステップ・モータを使用し、外挿によって血漿と血球の界面の正確な位置を測定する。さらに、この文献は、得られた曲線とサンプル曲線とを比較することによって患者の病状を診断すると共に、血球を含む部分および赤血球の沈殿後に白血球および血漿板を含む血漿の沈殿曲線の分析をする。
【００１６】
ＵＳ−Ａ−３，８２４，８４１号およびＵＳ−Ａ−３，８４８，７９６号は、血液を含有する分析管を鉛直に保持し、これらの管が重力の加速度の６〜８．５倍の遠心加速度を受けるまで鉛直位置の状態で回転される方法および装置を開示している。１サイクル以上の遠心サイクルの後、所定の時間間隔で血漿と血球の界面レベルを読んでＶＥＳの測定値を得る。
【００１７】
これまで開示した方法は全て分析を自動的に行うことができるが、分析時間を少ししか短縮できない。さらに、これらの方法は全て、分析する血液は使い捨て式の適当な容器に入れなければならない、その結果、病院の廃棄物として処理しなければならないこれら容器の購入、なかんずく、それらの処分の点で分析コストが増すことになる。さらに、分析の逐行に必要な血液の量が多く、場合によって、特に子供の分析の場合などに問題が生じる。さらに、これまでに開示された方法は全て血漿と血球の界面の位置を時間的に測定することに基いており、それを血液粒子の沈降時にゆっくり測定する。この種の測定は、血球の沈降を加速さすべく鉛直軸の回りに容器を鉛直に保持して遠心分離機にかけることによって測定時間が著しく短縮されたとしても、最少の分析逐行時間を要する。実際に、その測定法は、排除できない初不動時間を要し、その間に血漿と血球の界面が形成される。
【００１８】
従って、現時点で、赤血球、白血球および血漿板の数を計数するヘモクロモ血球計数分析のような極めて速い分析を行うことができる装置と組み合せてこの分析を行なう装置を使用することができない。さらに、従来の装置はこの種の分析を意図した容器および特殊な装置の使用を要する、この状態は、種々の分析を異なる装置で異なる時間に行なう場合に試料の交換や間違ったラベル貼りのためにエラー源となる恐れがある。従来の装置でＶＥＳの分析逐行時間は、常に９０秒以上、一般に１２０秒以上であるが、前記ヘモクロモ血球計数分析の逐行時間は１分以下である。
【００１９】
ＵＳ−Ａ−３，６７９，３６７およびＵＳ−Ａ−３，６８４，４５０号は、血球の急速充てんのために超高速回転によってヘマトクリットまたは充てん赤血球の体積を測定する方法および関連装置を開示している。従って、この方法は沈降の第３フェーズを意味し、第２フェーズ、従ってＶＥＳを分析する方法ではない。さらに、この方法は、透明な血漿と血球間の異なる光学濃度からわかる界面の位置を連続的に測定することによって充てん血球の体積を測定する。
【００２０】
【発明が解決しようとする課題】
本出願人は、従来の技術の欠点を解消して、さらに利点を得るために、本発明を想到し、試験し、実施した。本発明の目的は、血液の沈降速度（ＶＥＳ）を迅速かつ確実に測定する方法を提供することである。
【００２１】
本発明は微量の血液を使用して分析をすることができるので、本発明は小児科の分野においても、また貧血性の患者についても問題なく使用することができる。本発明は、抗凝血性物質、望ましくはＥＤＴＡ（エチレンジアミンテトラ酢酸）の塩類を添加した血液を含有する容器から被分析試料を直接採取することによって分析することができると共に、特殊な容器を使用することなく臨床分析の研究室で使用することができるので、使い捨ての材料および血液を節約することができる。
【００２２】
ヘモクロモ血球計数検査にも試験管に含まれる同一の血液試料を使用することができるので、ＶＥＳの分析をヘモクロモ血球計数検査のような他の臨床分析と同じ時間にかつ同一逐行時間で実施できるので、本発明は患者間の容器の交換による間違いの可能性を排除できる。
【００２３】
本発明は、患者の他の特徴、例えば赤血球の数が低いことを即時に同定できる。これらは血球数とＶＥＳの相関の評価を間違うことのないようにＶＥＳの分析の場合に気を付けなければならない特徴である。
【００２４】
本発明の方法は、測定に用いる容器の全ての位置で血液試料の光学濃度を測定することに基づいている。本発明による方法において、被分析血液試料の幅は、吸光度または光学密度に関するランベルト−ベール（Ｌａｍｂｅｒｔ−ｂｅｅｒ）の法則を適用できるように極めて小さくしなければならない。ランベルト−ベールの法則は次の関係を与える：
Ａ＝ｋ・ｃ・ｄ
ここで、Ａは、（Ｉｏ／Ｉ）として定義される吸光度または光学濃度である（Ｉｏは空の容器を透過する光放射線の強さ、Ｉは被分析試料を充てんした容器を透過する光放射線の強さである）：ｃは、その放射線を吸収する物質の濃度である；ｄは試料の幅であり；ｋは定数である。
【００２５】
この場合の測定信号は、従ってその点における試料に含まれる血球の数に比例する、従って従来の技術におけるように血漿と血球の界面の形成を待つ必要がないから、初期の不動時間がなく即時表示をする。一定の時間が経過すると、観察点に存在する血球の数が血球の沈降のために変化し、この変動はその点における吸光度の値を変える。従って、一定時間に渡る吸光度の研究は、一定時間に渡るその点に存在する血球の研究に相当し、従ってＶＥＳと相関する。
【００２６】
観察点は、血球の数が一定の時間で減少する最初の部分が、または血球数が一定の時間で増加する最終の部分にすることができる。容器の最初および最終の部分は、それぞれ回転軸の近くに位置する部分および回転軸から離れた部分を意味する。観察点が容器の最初の部分または最終の部分に位置するかに依存して、吸光度は一定時間で減少または増加する。
【００２７】
【問題点を解決するための手段】
本発明による方法は次の工程から成る：
適当に均質化した血液試料を血液を保持する容器から、例えば吸引することによって分析装置に供給する工程；
毛細管のような小内径の容器における試料の遠心分離工程、この遠心分離工程は容器を配置する面に直角な軸に回りで行なうのが有利である、連銭状態の沈降工程を最適にするために用いる遠心分離速度は血液試料２〜２０ｇ、望ましくは７〜８ｇの加速度を与えるような速度である；
容器内の固定測定点で試料の光学濃度を時間の関数として測定する工程；この測定は２００〜１０００ｎｍ、望ましくは７００〜１０００ｎｍの波長を有する電磁放射線を使用して行なうのが有利である；
一定の時間に渡って得た信号を処理して、時間の関数として光学濃度をプロットする曲線のパラメータ−を変換してＶＥＳを決定する工程、観察点が、試料の最初の部分または最終の部分にあるかに従って、得られる曲線は時間の関数として減少状態または増加状態を有する；
標準化コード信号と比較する工程；および
試料を放出する工程。
【００２８】
本発明の方法は、血液の血漿部分の沈降を定量分析的に測定することも使用できる。
【００２９】
本発明の方法は、抗凝血剤を添加した血液を含有する容器を使用し、例えばヘモクロモ血球計数検査のような極めて短い逐行時間を有する他の分析を実施する別の方法と組み合せることができる。
【００３０】
本発明による装置は、吸引容器から被分析試料を吸引する手段およびその試料を遠心分離する手段から成る、遠心分離手段は電磁放射線を放射し監視して所定の点で試料の光学濃度を監視するアセンブリと関係する。
【００３１】
【発明の実施の形態】
本発明による装置において、試料は容器に送られる、そしてその容器は必要な分析時間の関数として必要に応じて変えることがてきる所定の角速度で容器の配置面に垂直な軸の回りに回転される。この容器は、光学濃度を測定するために使用するアセンブリに用いられる電磁放射線を透過する材料製である。
【００３２】
本発明による装置の特定の実施形態によると、この容器は貫通路を有して、被分析試料にアクセスすることができる入口および出口を含み、分析完了時に試料の順流および放出をさせることができる。本発明の特定の形態によると、被分析試料の容器は試料の受入点から放出点まで中断することなく延在する毛細管からなる。この形態は、血液と大気との接触を防ぎ、従って試料の汚染および損失を防ぐので特に有利である。さらに、この溶液は１つの検査と別の検査の間に容器全体を適当な洗浄溶液でフラッシングして、種々の血液試料間の伝染を防ぐことができる。
【００３３】
電磁線を放射／監視するアセンブリは、容器の配置面に垂直または実質的に垂直にかつ容器の両側に配置し、分析逐行中は所定の固定点に配置されたままである。別の形態によると、電磁線を放射／監視するアセンブリは必要に応じて半径方向に配置することができる。さらに別の実施形態によると、容器は反射側壁を備え、放射／監視アセンブリは容器の配置面の１つおよびその同じ側面に配置される。
【００３４】
前記のように、放射／監視アセンブリは、光学濃度が一定の時間に渡って減少する回転軸に最も近い容器の最初の部分か、または光学濃度が一定の時間に渡って増す回転軸から離れた容器の最終部分に配置することができる。
【００３５】
本発明の装置は、試料の吸引、遠心分離、所定の時間間隔で試料の光学濃度の測定、一定の時間に渡って測定した信号の処理および試料の放出のような分析工程の全てを制御するプログラミング、プロセス制御アセンブリによって調節する利点を有する。さらに、そのプログラミング、プロセス制御アセンブリは信号をビデオまたはプリンターに示す手段と接続する。
【００３６】
別の実施形態によると、そのプログラミング、プロセス制御アセンブリは基準データ・バンク（例えば、測定した信号と比較して病状を診断する曲線や表の形態）からなる。
【００３７】
別の実施形態によると、本発明の装置は、抗凝血剤を添加した複数の血液試料を保持する供給貯蔵装置と組み合せる、これらの血液試料は、例えば回転、揺動または他の類似操作によって適当に性質化される。この供給貯蔵装置は各試料を連続的に配置し、それから分析する試料を形成する微小体積の血液を自動的に、例えば針で吸引する。さらに、本発明の別の実施形態によると、吸引工程後に容器は汚染防止のために自動的に再シールされる。
【００３８】
【実施例】
図面における参照番号（符号）１０は、本発明による血液の沈降速度（ＶＥＳ）を決定する方法を示す。本発明の方法１０は次の工程からなる：
分析せんとする適当な均質化試料を、例えば吸引によって容器２１から極小内径を有しその中に微小体積の被分析試料を挿入する含有量を画定する読取り容器２２に供給する工程１１；
読取り容器２２を配置する面に実質的に垂直な軸の回りに試料を遠心分離する工程、連銭の沈降工程を最適にさせるために用いる遠心分離速度は血液試料を２〜２０ｇ、望ましくは７〜８ｇの加速度を与えるような速度である；
読取り容器２２の固定点で分析される血液試料の光学濃度の一定時間に渡る発生を同定するために電磁線の放射／監視工程１３、この工程は試料を含む読取り容器２２を配置する面に垂直の方向で試料を読取り容器２２に注入した後必要に応じてプログラムできる即時走査で行なう、放射／監視工程１３の最少持続時間は遠心分離速度の関数として選択する；
時間の関数として監視した信号を分析および処理する工程１４、被分析試料に存在する血球数の関数である吸光度の初期値を考慮する；
それらの結果をビデオ２８でおよび／またはプリンタに表示する工程１５；
符号化した病状の標準化信号と比較する工程１６；および
分析した試料の放出工程１８、
本発明による方法１０は極めて迅速かつ正確であって、試料の光学濃度を一定時間に渡って読み取って、種々の炎症性病状の同定に使用できる沈降工程の全てを定量的に記載することができる。
【００３９】
血液試料の光学濃度を読み取るために小内径の含有室を画定す読み取り（または毛細管）容器２２の使用は、検査される血液中に含まれる（血球の量と光学濃度との間に直線応答関係を与える。そしてこの関係が、読取り容器２２の全ての点における光学濃度が遠心分離中に各瞬間に検査される試料に含まれる血球数の関数であるので、ＶＥＳに関する結果を与える。読取り容器２２は０．１〜２ｍｍ、望ましくは１ｍｍの内径をもった含有室を画定する。符号１９は、前記の方法を実施するのに適当な装置の特定な形態の実施例を示す。この場合の装置１９は、容器２１から微小体積の血液を吸引する吸引装置２０；実質的水平面に配置され、この場合、鉛直軸をもった第１のモータ２４からなる遠心分離手段２３と共同する毛細管読取り容器２２；該毛細管読取り容器２２を配置する面に垂直に、そしてその両側に配置されて、電磁線を放射／監視するアセンブリ２５；該アセンブリ２５によって監視される信号を得る手段２６；本法を実施する装置１９を自動的に制御し、かつ表示手段２８、データの導入および制御２９および印刷手段３０からなるプロクラミング、プロセス制御アセンブリ２７；および分析した試料を放出する手段３１から成る。
【００４０】
本発明の別の実施形態によると、１つの分析と次の分析の間に読取り容器２２の洗浄および殺菌のために適当な溶液をフラッシュする手段も含む。ここには示さない本発明の特殊な形態によると、被分析試料の容器２２は、試料の受入点から放出点まで中断することなく延在する毛細管から成る。この形態は、血液試料と大気との接触を防ぎ、従って試料の汚染および損失を防ぐから極めて有利である。
【００４１】
プログラミング、プロセス制御アセンブリ２７は、分析を行なう工程の全て、例えば試料の遠心分離速度およびサイクル、放射／監視アセンブリ２５の瞬間走査および結果の表示を必要に応じてプログラムすることができる。この場合の吸引装置２０は、注射器手段３２とポンプ手段３３から成り、試料吸込容器２１は第２のモータ３６によって駆動される回転ドラム３５から成り、その外周部に複数の試料吸込容器２１を含む。この回転ドラム３５は、注射器手段３２によって微小体積の試料を吸引するのに適した位置で停止する利点を有する。
【００４２】
本発明の特定の形態によると、注射器手段３２は、該注射器手段３２の針によって容器２１のストッパーに作った穴を閉鎖する密封アセンブリと共同する。さらに、本発明の装置１９は、例えばヘモクロモ血球計数検査のような検査逐行装置とも共同する、そしてこれらの装置は同一の吸引装置によって供給され、かつ同一のプログラミング、プロセス制御アセンブリ２７によって制御される利点を有する。このように、ＶＥＳ検査の結果と、同一容器２１から吸引した血液試料について同時に行った他の検査と組み合せることができる。
【００４３】
本発明による装置１９の有利な実施形態において、電磁線の放射／監視アンブリ２５は毛細管の読取り容器２２の有用なラジアル位置において半径方向に配置することができる。別の実施形態によると、プログラミング、プロセス制御アセンブリ２７は、例えば曲線や表の形で特徴信号を含む基準データ１７のバンクからなる、そしてそれらの信号と本発明の装置１９によって監視した信号と比較して病状を診断することができる。
【図面の簡単な説明】
【図１】本発明による方法のブロック図である。
【図２】本発明による装置の略図である。
【符号の説明】
１０        本発明の方法
１１        均一化試料供給工程
１２        遠心分離工程
１３        電磁線の放射／監視工程
１４        信号の分析および処理工程
１５        結果の表示工程
１６        標準化コード信号との比較工程
１７        基準データ・バンク
１８        試料の放出工程
１９        本発明の装置
２０        吸引装置
２１        容器
２２        毛細管読取り容器
２３        遠心分離手段
２４，３６  モータ
２５        放射／監視アセンブリ
２６        信号捕そく手段
２７        プログラミング、プロセス制御アセンブリ
２８        表示手段
２９        データの入手および制御手段
３０        印刷手段
３１        被分析試料放出手段
３２        注射器手段
３３        ポンプ手段
３４        試料貯蔵アセンブリ
３５        回転ドラム
【図１】
0003547894.tif 000002
【図２】
0003547894.tif 000003